(57)【特許請求の範囲】
【請求項１】
基台部の底面側に弾性体を配設し、前記弾性体にシート状清掃体を捲回して、前記シート状清掃体により被清掃面の被清掃物質を捕集する拭き掃除具において、
前記弾性体は、前記基台部に装着される基板部と、前記基板部から突出形成された多数の可撓性薄片とを有し、前記可撓性薄片は前記基台部の中央部に位置する可撓性薄片が最も突出して形成され、前記基台部の前縁部から後縁部に至る前記可撓性薄片の前記シート状清掃体への当接部の軌跡が、前記基台部の前縁部から前記基台部の中央部へ順次突出するとともに、前記基台部の後縁部から前記基台部の中央部へ順次突出し、前記基台部の中央部が最も突出した略階段状に形成された
ことを特徴とする拭き掃除具。
【請求項２】
請求項１に記載の拭き掃除具において、
前記多数の可撓性薄片は、所定の間隔を開けて、かつ、各操作方向に対して斜めに配置されている
ことを特徴とする拭き掃除具。
【請求項３】
請求項１に記載の拭き掃除具において、
前記多数の可撓性薄片は、前記弾性体の中心線を中心として略対称に列状に配置されてなり、前記各列の可撓性薄片は、前記各列間において相互に平行するように間隔を開けるとともに清掃方向に対して斜めになるように配置され、かつ、互いに隣合う列の可撓性薄片が逆方向に傾くように相互に半ピッチずらして配置されている
ことを特徴とする拭き掃除具。
【請求項４】
請求項１、２または３のいずれか１項に記載の拭き掃除具において、
前記基台部の前縁部から後縁部に至る前記可撓性薄片の前記シート状清掃体への当接部の軌跡が、前方２段、後方２段の計４段の段差を備えた階段状に形成された
ことを特徴とする拭き掃除具。
【発明の詳細な説明】
【０００１】
【発明の属する技術分野】
本発明は、拭き掃除具に関し、さらに詳細には、不織布、乾燥したクロス、布製雑巾あるいは紙製化学雑巾など（以下、これら不織布、乾燥したクロス、布製雑巾あるいは紙製化学雑巾などを総称して「シート状清掃体」と称す。）を取り付けて拭き掃除を行うための拭き掃除具に関する。
【０００２】
【従来の技術】
従来より、基台部の下部に弾性体を配設し、この弾性体にシート状清掃体を捲回して、当該シート状清掃体により床面、窓ガラス面あるいは天井面などの被清掃面の埃や汚れを拭き取る拭き掃除具が数多く提案されており、例えば、図１に示すような拭き掃除具が知られている。
【０００３】
この図１に示す拭き掃除具１００は略長方体状の基台部１０２を備えており、この基台部１０２の上面には、全方向に自在に方向変換できるような任意の構造のジョイント部１０４を介して、操作ハンドル１０６が取り付けられている。
【０００４】
また、基台部１０２の底面には、当該底面の全面に略長方体状の弾性体１０８が取り付けられている。この弾性体１０８は、ゴムやプラスチックの発泡体などにより成形されたものであり、その底面は平板状に形成されている。
【０００５】
そして、図２に示すように、基台部１０２に適宜の係止具（図示せず）により弾性体１０８の底面全体を覆うようにしてシート状清掃体１２０を捲回して装着し、操作ハンドル１０６により基台部１０２を床面、窓ガラス面あるいは天井面などの被清掃面Ｐ上で摺動させることにより、被清掃面Ｐ上の汚れや埃など（以下、これら汚れや埃などを総称して「被清掃物質」と称す。）をシート状清掃体１２０に付着させ、当該被清掃物質を捕集するようになされている。
【０００６】
なお、シート状清掃体１２０を弾性体１０８の底面を覆うように捲回して装着しているのは、拭き掃除具１００を凹凸のある被清掃面Ｐ上で摺動させたときに、弾性体１０８の弾性変形により被清掃面Ｐの凹凸にシート状清掃体１２０を追従させて清掃可能にするとともに、拭き掃除具１００の操作ハンドル１０６を把持して清掃する清掃者へ被清掃面Ｐの凹凸から伝達される衝撃を緩和するためである。
【０００７】
しかしながら、上記した従来の拭き掃除具１００においては、例えば、拭き掃除具１００を被清掃面Ｐ上で前進させると、図２に示すように、被清掃面Ｐ上の被清掃物質１１２は、弾性体１０８の前縁部１０８ａにより掻き取られるようにして（スクレープされるようにして）、弾性体１０８の前縁部１０８ａの前方の被清掃面Ｐ上に集められ、そのまま残留し、弾性体１０８の内方向へあまり進入することができない。
【０００８】
また、拭き掃除具１００を被清掃面Ｐ上で後進させた際にも、上記と同様な現象が生じるものであり、被清掃面Ｐ上の被清掃物質１１２は、弾性体１０８の後縁部１０８ｂにより掻き取られるようにして、弾性体１０８の後縁部１０８ｂの後方の被清掃面Ｐ上に集められ、そのまま残留し、弾性体１０８の内方向へあまり進入することができない。
【０００９】
このような従来の拭き掃除具１００を用いて清掃する際に、操作ハンドル１０６を持って前進・後進操作を繰り返しながら被清掃面１１０を摺動移動させる、所謂、ジグザグ操作を行うと、前進操作から後進操作に切り換わる際には、弾性体１０８の前縁部１０８ａに集められた被清掃物質１１２がそのまま被清掃面Ｐ上に取り残される。
【００１０】
また、後進操作から前進操作に切り換わる際にも、上記と同様な現象が生じるものであり、弾性体１０８の後縁部１０８ｂに集められた被清掃物質１１２がそのまま被清掃面Ｐ上に取り残されることになってしまっていた。
【００１１】
即ち、被清掃物質１１２は拭き掃除具１００の前部および後部に残留してしまうという問題点があるとともに、またシート状清掃体１２０における弾性体１０８の前縁部１０８ａおよび後縁部１０８ｂに対応する部位のみに被清掃物質１１２の付着が集中し、シート状清掃体１２０が部分的にしか清掃作用（被清掃物質１１２の付着・捕集作用）を発揮することができないという問題点があった。
【００１２】
こうした問題点に鑑みて、特開平６−３１１９５４号公報に開示された拭き掃除具が提案されている。
【００１３】
この特開平６−３１１９５４号公報に開示された拭き掃除具は、基台部に配設されたスポンジなどの発泡体により構成される略長方体状の弾性体が、中央部において突出するように形成されており、被清掃物質の弾性体の内方向への進入を可能としている。
【００１４】
ところが、上記した従来の拭き掃除具１００および特開平６−３１１９５４号公報に開示された拭き掃除具においては、基台部に配設された弾性体が、いずれも略長方体状のスポンジなどの発泡体により構成されているため、被清掃面の凹凸に十分に追従することができないという根本的な欠点が指摘されていた。
【００１５】
本願出願人は、上記した問題点および根本的な欠点を解決することのできる拭き掃除具として、特願平７−３１７０２８号に開示された拭き掃除具を提案している。
【００１６】
図３および図４には、この特願平７−３１７０２８号に開示された拭き掃除具２００の構成が示されており、拭き掃除具２００は、基台部２０２に配設する弾性体として、略長方体状の弾性体に代えて、基板部２０４ａに多数の可撓性薄片２０４ｂを立設した弾性体２０４を備えている。弾性体２０４は、ゴムまたはその発泡体、あるいは軟質のプラスチックまたはその発泡体、あるいは熱可塑性エラストマーなどのような、柔軟で弾性力を有する素材を一体成形することにより構成されるものである。
【００１７】
可撓性薄片２０４ｂの配列パターンを説明すると、各可撓性薄片２０４ｂは、所定の間隙を開けて、かつ各操作方向（矢印Ａ方向および矢印Ｂ方向）に対して斜めに配置されている。
【００１８】
さらに詳細には、弾性体２０４の中心線Ｏ１を中心として略左右対称に、あるいは中心線Ｏ２を中心として略上下対称に配置されている。
【００１９】
そして、図４上において左右方向に延長する各列の可撓性薄片２０４ｂは、各列間において相互に平行するように間隔を開けるとともに、清掃方向に対して斜めになるように配置され、さらに、概ね互いに隣合う列の可撓性薄片２０４ｂが逆方向に傾くように配置されている。また、互いに隣合う列の可撓性薄片２０４ｂを逆方向に傾くように配置する際に、相互に半ピッチずらして配置している。従って、この図４に示す配列パターンの可撓性薄片２０４ｂを備えた弾性体２０４を配設した拭き掃除具２００によれば、多数の可撓性薄片２０４ｂがそれぞれ独立して可撓するので、被清掃面の細かい凹凸にも十分に追従することができるとともに、拭き掃除具２００の操作方向と相対的に逆方向に移動する被清掃物質が、各可撓性薄片２０４ｂに誘導されて弾性体２０４の内方向へ誘導されることになり、シート状清掃体２０６の被清掃面との接触面全体を有効に利用して、被清掃物質を付着させることができる。
【００２０】
このため、拭き掃除具２００の進行方向前方に被清掃物質が残留することがなくなるとともに、シート状清掃体２０６の被清掃面との接触部位全面を有効に利用して被清掃物質を付着・捕集することができるようになり、清掃効率を著しく向上できるとしている。
【００２１】
【発明が解決しようとする課題】
ところで、被清掃物質としては、粒状の埃の他に、衣服や寝具などから発生する細かい繊維状の埃が極めて多く存在するのが一般的である。
【００２２】
こうした繊維状埃は非常に軽いため、特願平７−３１７０２８号に開示された拭き掃除具によっても、この繊維状埃を弾性体の内方向へ十分には誘導することが困難であり、拭き掃除具の前部および後部に残留してしまうという問題点が指摘されていた。
【００２３】
本発明は、従来の技術の有するこのような種々の問題点に鑑みてなされたものであり、その目的とするところは、拭き掃除具の進行方向前方に粒状埃のみならず繊維状埃も残留させることがないようにするとともに、シート状清掃体の広い範囲で埃を付着させるようにした拭き掃除具を提供しようとするものである。
【００２４】
【課題を解決するための手段】
上記目的を達成するために、本発明による拭き掃除具は、基台部の底面側に弾性体を配設し、上記弾性体にシート状清掃体を捲回して、上記シート状清掃体により被清掃面の被清掃物質を捕集する拭き掃除具において、上記弾性体は、上記基台部に装着される基板部と、上記基板部から突出形成された多数の可撓性薄片とを有し、上記可撓性薄片は上記基台部の中央部に位置する可撓性薄片が最も突出して形成され、上記基台部の前縁部から後縁部に至る上記可撓性薄片の上記シート状清掃体への当接部の軌跡が、上記基台部の前縁部から上記基台部の中央部へ順次突出するとともに、上記基台部の後縁部から上記基台部の中央部へ順次突出し、上記基台部の中央部が最も突出した略階段状に形成されるようにしたものである。
【００２５】
また、本発明による拭き掃除具は、上記多数の可撓性薄片を、所定の間隔を開けて、かつ、各操作方向に対して斜めに配置するようにしたものである。
【００２６】
また、本発明による拭き掃除具は、上記多数の可撓性薄片を、上記弾性体の中心線を中心として略対称に列状に配置してなり、上記各列の可撓性薄片は、上記各列間において相互に平行するように間隔を開けるとともに清掃方向に対して斜めになるように配置され、かつ、互いに隣合う列の可撓性薄片が逆方向に傾くように相互に半ピッチずらして配置されるようにしたものである。
【００２７】
また、本発明による拭き掃除具は、上記基台部の前縁部から後縁部に至る上記可撓性薄片の上記シート状清掃体への当接部の軌跡が、前方２段、後方２段の計４段の段差を備えた階段状に形成されるようにしたものである。
【００２８】
そして、本発明による拭き掃除具の弾性体は、ゴムまたはその発泡体、あるいは軟質のプラスチックまたはその発泡体、あるいは熱可塑性エラストマーなどのような、柔軟で弾性力を有する素材で一体成形することにより構成することができる。
【００２９】
上記した本発明における拭き掃除具においては、以下に示す動作により、粒状埃および繊維状埃などの被清掃物質を、弾性体の内方向へ十分に誘導することができる。
【００３０】
即ち、前進方向操作の場合には、基台部の前縁部側に位置する可撓性薄片のシート状清掃体への当接力が、基台部の中央部に位置する可撓性薄片のシート状清掃体への当接力より弱くなる。従って、粒状埃のみならず繊維状埃も、基台部の前縁部側に位置する可撓性薄片により掻き取られることが少なくなる。その結果、粒状埃のみならず繊維状埃を、弾性体の内方向へ十分に誘導することができるようになる。
【００３１】
なお、繊維状埃が多く、弾性体の内方向への誘導が不十分である場合には、各列内の可撓性薄片の配設ピッチの間隔を広げるとよい。
【００３２】
また、後進方向操作の場合においても、上記した前進方向操作の場合と同様な理由により、粒状埃のみならず繊維状埃を弾性体の内方向へ十分に誘導することができるようになる。
【００３３】
【発明の実施の形態】
以下、添付の図面に基づいて、本発明による拭き掃除具の実施の形態を詳細に説明するものとする。
【００３４】
図５は本発明による拭き掃除具の実施の形態の一例を示す図６のＶ−Ｖ線による断面図であり、図６は図５の矢印Ｃ方向から見た弾性体の底面図であり、図７は清掃状態を示す断面説明図である。
【００３５】
この実施の形態における拭き掃除具１０は、底面に支持部材１３を突出形成した略平板状のプラスチック射出成形品などで形成された基台部１２を備え、この基台部１２の上面には、前後・左右・斜めの全方向に自在に方向変換できるユニバーサルジョイント１４を介して操作ハンドル１６が立設されている。
【００３６】
また、基台部１２の上面の左右両側部位には、シート状清掃体１８を基台部１２に保持するための適宜の係止具（図示せず）が配設されている。
【００３７】
さらに、この基台部１２には、ゴムまたはその発泡体、あるいは軟質のプラスチックまたはその発泡体、あるいは熱可塑性エラストマーなどにより一体成形された弾性体２０が着脱自在に嵌合されいる。
【００３８】
そして、弾性体２０は、基板部２０ａと基板部２０ａに突出形成された多数の可撓性薄片２０ｂとを備えている。
【００３９】
ここで、可撓性薄片２０ｂは、基台部１２の中央部１２ｃに位置する可撓性薄片２０ｂが最も突出形成され、基台部１２の前縁部１２ａから後縁部１２ｂに至る可撓性薄片２０ｂのシート状清掃体１８への当接部の軌跡Ｌが、床面、窓ガラス面あるいは天井面などの被清掃面Ｐに対して凸状に形成されている。
【００４０】
なお、図５に示す実施の形態において上記した凸状の形状は、前方１段、後方１段の計２段の段差を備えた階段状となされている。
【００４１】
図６を参照しながら、基台部１２の前縁部１２ａから後縁部１２ｂに至る可撓性薄片２０ｂのシート状清掃体１８への当接部の軌跡Ｌが、被清掃面Ｐに対して凸状に形成されている点を詳細に説明すると、基台部１２の前縁部１２ａあるいは後縁部１２ｂ側に位置するａ列、ｂ列およびｃ列の可撓性薄片２０ｂよりも、基台部１２の中央部１２ｃ側に位置するｄ列、ｅ列およびｆ列の可撓性薄片２０ｂの方が、被清掃面Ｐに対してより突出するように形成されている。
【００４２】
以上の構成において、シート状清掃体１８を弾性体２０に捲回した拭き掃除具１０を被清掃面Ｐ上に載置し、操作ハンドル１６により基台部１２を被清掃面Ｐ上で摺動させることにより、被清掃面Ｐ上の粒状埃や繊維状埃などの被清掃物質をシート状清掃体１８に付着させ、当該被清掃物質を捕集することができる。
【００４３】
図７を参照しながら、上記した清掃作用を詳細に説明すると、前進方向操作の場合には、基台部１２の前縁部１２ａ側に位置する可撓性薄片２０ｂのシート状清掃体１８への当接力が、基台部１２の中央部１２ｃ側に位置する可撓性薄片２０ｂのシート状清掃体１８への当接力より弱くなるので、基台部１２の前縁部１２ａ側に位置するシート状清掃体１８は被清掃面Ｐから浮いた状態で移動する。このため、粒状埃のみならず非常に軽い繊維状埃も、基台部１２の前縁部１２ａ側に位置するシート状清掃体１８ならびに可撓性薄片２０ｂにより掻き取られることがなくなり、その結果、粒状埃のみならず非常に軽い繊維状埃を弾性体２０の内方向へ十分に誘導することができる。
【００４４】
また、後進方向操作の場合においても、上記した前進方向操作の場合と同様な理由により、粒状埃のみならず非常に軽い繊維状埃を弾性体２０の内方向へ十分に誘導することができる。
【００４５】
従って、拭き掃除具１０の進行方向前方に粒状埃のみならず繊維状埃も残留させることがないとともに、シート状清掃体１８の被清掃面Ｐとの接触部位を有効に利用して粒状埃のみならず繊維状埃も付着・捕集することができ、清掃効率を大幅に向上することができる。
【００４６】
なお、本発明の実施の形態は、以下に説明するように変形してもよい。
【００４７】
（１）  上記した実施の形態においては、弾性体２０の底面における可撓性薄片２０ｂの配列パターンを、特願平７−３１７０２８号に開示された拭き掃除具と同様に、各可撓性薄片２０ｂは、所定の間隙を開けて、かつ各操作方向（矢印Ａ方向および矢印Ｂ方向）に対して斜めに配置されている。
【００４８】
さらに詳細には、可撓性薄片２０ｂの配列パターンは、図６上において、弾性体２０の中心線Ｏ１を中心として略左右対称に、あるいは中心線Ｏ２を中心として略上下対称に配置されている。
【００４９】
そして、図６上において左右方向に延長する各列の可撓性薄片２０ｂは、各列間において相互に平行するように間隔を開けるとともに、清掃方向に対して斜めになるように配置され、さらに、概ね互いに隣合う列の可撓性薄片２０ｂが逆方向に傾くように配置されている。また、互いに隣合う列の可撓性薄片２０ｂを逆方向に傾くように配置する際に、相互に半ピッチずらして配置している。
【００５０】
従って、この図６に示す配列パターンの可撓性薄片２０ｂを備えた弾性体２０を配設した拭き掃除具１０によれば、上記した効果、即ち、粒状埃のみならず非常に軽い繊維状埃も基台部１２の前縁部１２ａあるいは後縁部１２ｂ側に位置するシート状清掃体１８ならびに可撓性薄片２０ｂにより掻き取られることがなくなり、その結果、粒状埃のみならず非常に軽い繊維状埃を弾性体２０の内方向へ十分に誘導することができるという効果に相乗して、図６に示す配列パターンの効果たる、多数の可撓性薄片２０ｂがそれぞれ独立して可撓するので、被清掃面の細かい凹凸にも十分に追従することができるとともに、拭き掃除具１０の操作方向と相対的に逆方向に移動する被清掃物質が、各可撓性薄片２０ｂに誘導されて弾性体２０の内方向へ誘導されることになり、シート状清掃体１８の被清掃面との接触面全体を有効に利用して、被清掃物質を付着させることができるという効果を得ることができる。
【００５１】
しかしながら、こうした図６の配列パターンによる効果を相乗して得る必要がない場合には、図８に示すように、基板部２０ａに突出形成する可撓性薄片２０ｂを、基台部１２の長手方向全幅にわたって延長するように平行に配置してもよいし、図９に示すように、多数の可撓性薄片２０ｂを基台部１２の長手方向と平行に市松模様状に配置してもよい。
【００５２】
（２）  上記した実施の形態においては、基台部１２の前縁部１２ａから後縁部１２ｂに至る可撓性薄片２０ｂのシート状清掃体１８への当接部の軌跡Ｌが、被清掃面Ｐに対して前方１段、後方１段の計２段の段差を備えた階段状の凸状になるように形成したが、これに限られることなしに、図１０に示す拭き掃除具１０’のように、図６におけるａ列からｆ列に向けて各列の可撓性薄片２０ｂがそれぞれ所定の段差をもって順次突出するように形成してもよい。
【００５３】
また、基台部１２の前縁部１２ａから後縁部１２ｂに至る可撓性薄片２０ｂのシート状清掃体１８への当接部の軌跡Ｌに関しては、図５に示す拭き掃除具１０と図１０に示す拭き掃除具１０’の中間の形態として、例えば、図１１に示す拭き掃除具１０’’のように、当該軌跡Ｌが被清掃面Ｐに対して前方２段、後方２段の計４段の段差を備えた階段状の凸状になるように形成してもよい。
【００５４】
（３）  上記した実施の形態においては、基台部１２の中央部に位置する可撓性薄片２０ｂの長さを、基台部１２の前縁部１２ａおよび後縁部１２ｂに位置する可撓性薄片２０ｂの長さより長くすることにより、基台部１２の前縁部１２ａから後縁部１２ｂに至る可撓性薄片２０ｂのシート状清掃体１８への当接部の軌跡Ｌが被清掃面Ｐに対して凸状になるように形成した。
【００５５】
しかしながら、これに限られることなしに、図１２に示す拭き掃除具１０’’’のように、可撓性薄片２０ｂの長さは一定とし、基台部１２の支持部材１３の長さを中央部１２ｃ側に位置するほど長くなるように突出形成することにより、弾性体２０の基板部２０ａが被清掃面Ｐに対して凸状の円弧を描くようにして基台部１２に装着されるようにしてもよい。このように構成すると、基台部１２の前縁部１２ａから後縁部１２ｂに至る可撓性薄片２０ｂのシート状清掃体１８への当接部の軌跡Ｌが、被清掃面Ｐに対して凸状の円弧になるものであり、こうした構成においても、上記した実施の形態と同様な効果を得ることができる。
【００５６】
（４）  上記した実施の形態ならびに上記した変形例（１）乃至変形例（３）を、適宜組み合わせて構成してもよい。
【００５７】
【発明の効果】
本発明は、以上説明したように構成されているので、拭き掃除具の進行方向前方に粒状埃のみならず繊維状埃も残留させることがないようにするとともに、シート状清掃体の被清掃面との接触部位を有効に利用して粒状埃のみならず繊維状埃も付着・捕集することができ、清掃効率を大幅に向上することができるという優れた効果を奏する。
【図面の簡単な説明】
【図１】従来の拭き掃除具の斜視図である。
【図２】従来の拭き掃除具における清掃作用の説明図である。
【図３】特願平７−３１７０２８号に開示した拭き掃除具の斜視図である。
【図４】特願平７−３１７０２８号に開示した拭き掃除具の弾性体の底面図である。
【図５】本発明による拭き掃除具の実施の形態の一例を示す図６のＶ−Ｖ線による断面図である。
【図６】図５の矢印Ｃ方向から見た弾性体の底面図である。
【図７】図５に示す拭き掃除具の清掃状態を示す断面説明図である。
【図８】本発明による拭き掃除具の弾性体の変形例を示す底面図である。
【図９】本発明による拭き掃除具の弾性体の変形例を示す底面図である。
【図１０】本発明による拭き掃除具の変形例を示す図５に対応する断面図である。
【図１１】本発明による拭き掃除具の変形例を示す図５に対応する断面図である。
【図１２】本発明による拭き掃除具の変形例を示す図７に対応する断面図である。
【符号の説明】
１０，１０’，１０’’，１０’’’      拭き掃除具
１２                                    基台部
１２ａ                                  前縁部
１２ｂ                                  後縁部
１２ｃ                                  中央部
１３                                    支持部材
１４                                    ユニバーサルジョイント
１６                                    操作ハンドル
１８                                    シート状清掃体
２０                                    弾性体
２０ａ                                  基板部
２０ｂ                                  可撓性薄片
【図１】
0003626273.tif 000002
【図２】
0003626273.tif 000003
【図３】
0003626273.tif 000004
【図４】
0003626273.tif 000005
【図５】
0003626273.tif 000006
【図６】
0003626273.tif 000007
【図７】
0003626273.tif 000008
【図８】
0003626273.tif 000009
【図９】
0003626273.tif 000010
【図１０】
0003626273.tif 000011
【図１１】
0003626273.tif 000012
【図１２】
0003626273.tif 000013